(57)【特許請求の範囲】
【請求項１】
痔核動脈の外科手術用の使い捨て装置は、肛門に沿って挿入する、閉じて丸みをおびた第１端部と、前記第１端部の反対側に、外に向けて広がる開口端部（２０１）を提供する第２端部と、を有するレトラクター管（１）を有していて、
前記レトラクター管（１）は、その外壁に具備された少なくともひとつの窓（８）であって、前記窓を通して、動脈の結紮を施す肛門粘膜が見えている前記窓と、レトラクター管（１）の前記開口端部と一体化しているグリップ用の柄（Ｍ）とを装備していて、
前記開口端部（２０１）は、それを通して、前記窓から前記粘膜の細胞を観察することができ、且つ、外科手術に必要な器具を管の中へ挿入することができて、
前記トラクター管（１）は、前記窓と前記窓を通して見える粘膜とを照らす器具であって、前記柄（Ｍ）内部に取り外せるように固定された光源（Ｆ）と、レトラクター管の外部末端と柄との接合部で、前記光源からの光を反射して、その反射光が、レトラクター管の内部および前記窓（８）を照らす器具とを有し、
前記窓（８）が、前記レトラクター管の第１端部側に位置する前部側（１０８）と、前記レトラクター管の第２端部側に位置する後部側（２０８）とを有していて、
前記レトラクター管（１）において、検知用の前記窓（８）の位置が決められていて、前記窓（８）と同一直線上、且つ、前記窓（８）の後部側（２０８）に、小さくて、前記レトラクター管（１）の長軸に沿って、直線的な内部チャンバー（１０）が装備されていて、
前記チャンバー（１０）は、管の内壁と一体となっているバッフル（９）と、窓（８）の後部側（２０８）とにより仕切られ、前記チャンバー（１０）は、前記管の開口端部（２０１）に向かって開口していて、
前記チャンバー（１０）の内部には、超音波子（Ｓ）が摩擦により収納してあって、前記超音波子（Ｓ）は、開口部（７）を介して部分的に突出していて、前記開口部（７）は、前記レトラクター管の側面の壁に装備され、超音波子（Ｓ）は、肛門粘膜に接することが可能になっていることを特徴とする。
【請求項２】
請求項１に記載の装置であって、光源（Ｆ）により供給された光を反射する器具が、光反射パラボラ（５）で、前記光反射パラボラ（５）が、光源を収容している柄（Ｍ）の中空部位と連結した管状チャネル（Ｃ）の底部からレトラクター管の前記開口端部（２０１）への立ち上がり部分に配置されていて、前記レトラクター管の内部で終端されていることを特徴とする前記装置。
【請求項３】
請求項２に記載の装置であって、少なくとも光反射パラボラ（５）を収容するチャネル（Ｃ）の上部（６０１）が、前記反射パラボラの取り出しおよび／または挿入を簡便にする目的で、前記チャネル（Ｃ）の下部を構成する部材（４０１）に挿入されて、固定された前記装置。
【請求項４】
請求項３に記載の装置であって、光反射パラボラ（５）が、チャネル（Ｃ）の上部（６０１）に位置する挿入部の内面を電気化学処理によりクロムめっきを施して形成される前記装置。
【請求項５】
請求項３に記載の装置であって、
開口端部（２０１）が円錐形で、さらに、
前記グリップ用の柄（Ｍ）が、補完シェル部分（５０１´）と本体シェル部分（５０１）とを有し、
前記光反射パラボラ（５）を備えたチャネル（Ｃ）の上部（６０１）に位置する挿入部は、前記補完シェル部分（５０１´）と一体を成していて、
前記補完シェル部分（５０１´）と前記本体シェル部分（５０１）とは、雌および雄の連結部位（２、２´）を用いて、予め接合していて、
前記本体シェル部分（５０１）は、リブを形成する外方向への凸部（４０１）と一体化していて、前記凸部（４０１）は前記チャネル（Ｃ）の下部に形成してあり、付属物（３０１）内に装備されていて、
前記付属物（３０１）は、実質的に三角形の平面形状を有していて、前記レトラクター管の開口端部（２０１）の外端部に接している前記装置。
【請求項６】
請求項５に記載の装置であって、光反射パラボラ（５）を装備したチャネル（Ｃ）の上部（６０１）と、前記柄（Ｍ）の一部を形成する前記補完シェル部分（５０１´）との連結部分に段部（１１）が装備されていて、
前記段部は、柄に向かって立ち上がり構造を有しているので、手術者が、柄を握持する手の親指を前記段部に沿わせ易くなって、該装置をより強固に、且つ、容易に握ることができる前記装置。
【請求項７】
請求項５に記載の装置であって、前記柄Ｍを形成する二つのシェル部分（５０１、５０１´）と、光反射パラボラ（５）を上部に収容した前記チャネル（Ｃ）の部位（６０１、４０１）とが連結されていて、
前記シェルは、環状シート（３）の補足部を装備していて、前記環状シート（３）は、透明材料からなる小ディスク（４）を収容することができて、前記チャネル（Ｃ）と前記光源（Ｆ）のある柄の内部中空部とが、前記小ディスク（４）で分割され、前記柄は、摩擦による固定または、その他の取り外しの可能な方法で前記光源（Ｆ）を内部に備えた前記装置。
【請求項８】
請求項７に記載の装置であって、透明な小ディスク（４）が、光学的機能を有し、光源（Ｆ）より供給される光の焦点を光反射パラボラ（５）に合わせられるレンズの機能を有している前記装置。
【請求項９】
請求項１〜８の何れかに記載の装置であって、光反射パラボラ（５）を備えたチャネル（Ｃ）がレトラクター管（１）の軸に対して、３０°〜５０°の傾きを形成し、一方で、柄（Ｍ）とレトラクター管（１）の軸との間の内角は１００°〜１２０°を形成する前記装置。
【請求項１０】
請求項１〜９の何れかに記載の装置であって、前記装置が、白色のあらゆる適したプラスチックにより形成されていて、レトラクター管の内部、特にレトラクター管の窓（８）に対する照光が改善されることを特徴とする前記装置。
【請求項１１】
請求項１〜１０の何れかに記載の装置であって、光反射パラボラ（５）を備えたチャネル（Ｃ）の外方向への凸部（４０１）に少なくとも一つの開口部（６）を有していて、前記開口部（６）によって、重力により前記開口部に到達し得る有機溶液を外部へ排出する、又は、前記溶液が光源（Ｆ）の上部に配置された小ディスク（４）に到達することを防止することを特徴とする前記装置。
【請求項１２】
請求項１〜１１の何れかに記載の装置であって、光反射パラボラを含むチャネル（Ｃ）が、前記光反射パラボラの反対側に広いくぼみ領域（１４）を有していて、前記領域で、前記光反射パラボラから近距離に設置された照光ファイバー（Ｆ）の末端部が露出される前記装置。
【請求項１３】
請求項１に記載の装置であって、肛門粘膜を検知するための窓（８）が理想面上に存在していて、前記理想面は、該装置の中心面に対して実質的に平行であって、さらに、柄（Ｍ）が下方を向いていると仮定すると、前記窓（８）が、レトラクター管に収容された超音波子の右側または左側に配置されている前記装置。
【請求項１４】
請求項１に記載の装置であって、前記開口端部（２０１）が円錐形状であって、
肛門粘膜を検知するための窓（８）と、前記開口端部（２０１）が連結しているレトラクター管の第２端部との距離が、４〜７ｃｍである前記装置。
【請求項１５】
請求項１に記載の装置であって、肛門粘膜を検知するための窓（８）が、レトラクター管（１）の第１端部（１０１）の近傍で、前記レトラクター管（１）の側面に設けられた平面部（７０１）に装備され、
前記窓の後部側（２０８）は、丸みをおびていて、前記窓（８）の後部側（２０８）に接続している前記レトラクター管（１）の側面部は、該装置の中心面に対して傾斜していて、一方、前記窓（８）の前部側（１０８）もまた、丸みをおびていて、レトラクター管（１）の側面部に対して傾斜していて、肛門細胞の検知および前記窓を通しての手術を行うためにより良い配置を有している前記装置。
【請求項１６】
請求項１に記載の装置であって、その内部の肛門粘膜の検知のための窓（８）が、レトラクター管（１）に、前記レトラクター管の中心面に対して横断する方向に配置されていて、且つ、前記レトラクター管の外周の約半分に相当していて、
前記窓の後部側（２０８）は丸みをおびていて、前記窓（８）の後部側（２０８）に接続している前記レトラクター管（１）の側面部は、該装置の中心面に対して傾斜していて、一方、前記窓の前部側（１０８）が丸みをおびていて、レトラクター管（１）の側面部に対して傾斜し、さらに、前記レトラクター管（１）の側面部に位置する平面部（７０１´、７０１）に接続していて、
前記平面部は拡張し、前記レトラクター管の第１端部（１０１）に向かって収束する構造を有している前記装置。
【請求項１７】
請求項１に記載の装置であって、レトラクター管（１）の内部において、肛門粘膜検知用の窓（８）の近傍で、且つ、前記レトラクター管(１)の中心線に沿って手段（１２）が配置されていて、前記手段は、核動脈の結紮用の湾曲針を運ぶマンドレルの端部を受け止めて、且つ、回転可能に中心に配置することを特徴とする前記装置。
【請求項１８】
請求項１７に記載の装置であって、マンドレルの端部を受け止めて、中心に配置する手段（１２）は、曲線状に区切られたシートで構成されて、前記シートの軸は、レトラクター管（１）の軸に平行に位置している前記装置。
【請求項１９】
請求項１８に記載の装置であって、前記シート（１２）は、円錐形状を有していて、レトラクター管（１）の第１端部に向けて先細になっている前記装置。
【請求項２０】
請求項１に記載の装置であって、超音波子（Ｓ）の感知部分が突出している開口部（７）が、肛門粘膜の検知用窓（８）の後部側（２０８）に収束する傾斜部（８０１）に連結している前記装置。
【請求項２１】
請求項１に記載の装置であって、超音波子（Ｓ）が、無菌で、使い捨てで、容易に取り外すことのできる収容物に収められていて、衛生的に保護されているので、前記超音波子が、衛生的に再利用することのできる前記装置。
【請求項２２】
請求項１〜２１の何れかに記載の装置であって、
レトラクター管の開口端部（２０１）の側面が、超音波子（Ｓ）を収容するために、チャンバー（１０）側で平らになっており、
超音波子のケーブル（Ｇ）を取り外せるように固着することを可能にする機能を持つループを備えている前記装置。
【請求項２３】
請求項２２に記載の装置であって、超音波子（Ｓ）の近傍に位置する柄（Ｍ）の側面上にループを有していて、前記ループは、前記超音波子（Ｓ）のケーブル（Ｇ）を取り外し可能にし得る前記装置。
【発明の詳細な説明】
【背景技術】
【０００１】
無麻酔下で痔核用外来手術を施す時は、米国特許番号５５７０６９２に記載の装置を用いることが知られている。前記装置は、肛門管内部に挿入する閉口端部と外部の開口端部とを有していて、且つ、握持部を装備しているレトラクター管を構成要件とする。前記レトラクター管の閉口部に近接した周面には、痔核動脈の血流を検知するための超音波用振動子が取り付けられていて、前記振動子に近接した周面には窓が取り付けられている。前記窓を通して肛門粘膜の一部が検知、観察されて、前記窓を通して、湾曲した針または焼灼などを用いて、痔核動脈を結紮する。前記レトラクター管の閉口端部の内部に照光手段が配されていて、前記照光手段は、握持部に装備された供給源および前記超音波振動子の供給源に連結されている。この装置は超音波振動子を有していて、且つ、その閉口端部に照光手段を収容しているために製造コストが高くなり、使い捨て用装置を提供することはできなかった。この要因による欠点や制限が引き起こされてきた。
【発明の開示】
【発明が解決しようとする課題】
【０００２】
本発明の目的は、使い捨て用装置により前記欠点や制限および周知の従来技術が有するその他の制限を排除して、超音波子の取り外し可能な収納庫に関する技術問題および肛門粘膜の検知用窓を照らす手段に関する問題の解決策を具現化することである。
【課題を解決するための手段】
【０００３】
前者の問題は、レトラクター管内部に縦長のシートを設けることにより解決する。前記シートは、レトラクター管の内部に向かって閉じていて、その外部に近接する前記シートの端部は開いている。また、前記シートは、超音波子を取り外し可能な状態で収納することが可能で、前記超音波子は前記レトラクター管の縦方向の開口部を通して一部突出していて、肛門粘膜に接触する。前記超音波子は、好ましくは、無菌で、使い捨てで、容易に取り外しのできる収容物に収められていて、衛生的に保護されている。前記超音波子は、前述と同種の使い捨て装置内で、繰り返し再利用するのに適切な形状を有している。前記超音波子を具備したシートの下部に近接して、肛門粘膜を検知する窓が配置されている。照光の問題（上述の後者の問題）を解決するために、背部照光（back illumination）の技術が用いられてきた。前記背部照光は、直腸鏡検査法に用いられる手段として知られ、前記装置の握持部内に照光源である可動挿入物を提供する。湾曲した光先導手段を使用する代わりに、光ファイバーまたはプラスチックの棒などの端部が前記光源に連結していて、他端部が、レトラクター管の内部空洞に配向している。これらは、イタリア特許番号１  ２３４  １６９などに記載されている。前記に係る装置は、レトラクター管内の光を反射するために用いられる湾曲器具であって、照光に優れ、前記レトラクター管の内周面から距離があるので、上記手術中に肛門から排出される回避できない生物学的な液体により汚されたり隠されることは無い。
【発明を実施するための最良の形態】
【０００４】
上記およびその他の本発明に係る特徴とそれらに起因する利点とをより明白に、非限定的な実施例により為された本発明の好ましい実施形態を添付の図面を参照にしながら以下に記す。図１は、超音波子および照光源を具備していない本願に係る装置の斜視図で、図２は、本願に係る装置を部品に分解して、照光源が挿入される握持部の２つの部品間に前記照光源を配置した本願に係る装置の側面の立面図で、図３および図４は、それぞれ、本願に係る装置の上部および下部からの平面図で、図５は、組み立てられた本願に係る装置の図２の線Ｖ−Ｖに沿った断面図で、図６は、より詳細に示した本願に係る装置の図５の線ＶＩ−ＶＩに沿った断面図で、図５ａおよび図６ａは、それぞれ、上記図５および図６の実施形態を示した図で、図７は、図５ａに示す装置の最前部を操作部位に向かって示した図である。
【０００５】
上記図面より本願に係る装置は、実質的に円柱状で、レトラクターの機能を有している円柱管１を有している。前記円柱管１において、適宜に先細且つ球形である末端部１０１は閉じているのに対して、外に向かって末広がりの円錐形状を有している先端部２０１は開いている。単に、例として、本体１の外径は２．５〜３．５ｃｍであっても良くて、例えば約３ｃｍであっても良い。また、前記本体１の全長は、約１０〜１２ｃｍであっても良くて、広範囲におよぶ末広の端部２０１の長さは、単独で約２ｃｍであっても良い。しかしながら、前記装置は、異なる使用要件を満たすために、図示した大きさとは異なる大きさを有していても良いと解する必要がある。円錐状の端部２０１は、実質的な三角錐３０１の部位と共に外に向かって張り出している。前記円錐状の端部２０１は、数センチメートルの長さで、その中心線には、縦方向のチャネル形状を有するリブ４０１を具備していて、外に向かって凸状で、下記効果的機能を有する。すなわち、突起３０１の湾曲およびねじれ応力に対する抵抗力を増加させて、且つ、治療部位を照らす光の反射に影響を及ぼすダクトを部分的に規定する。突起３０１の本体１の縦軸に対する傾斜度は、例えば、約３０℃である。また、本体１に一体的に連結している延長シェル５０１は、グリップ用の柄なので、人間工学的な作りを有していて、その長さは、例えば、約１０ｃｍで、本体１の軸に対して約１０５℃の内角を示す。該装置の大きさに関するデータは単なる表示であって、これらは広範囲にわたって修正されても良い。シェル５０１を突起３０１に連結する部位が、好ましくは、湾曲している。シェル５０１の上に補完シェル５０１´が配置されて、雌および雌の連結部位２および２´により固定されて、グリップ用の柄Ｍが構成される。前記補完シェル５０１´は、末端部６０１と共に突起３０１のリブ部４０１に重ね合わす。チャネル形状である前記末端部６０１は、補完シェル５０１´に対して適宜に曲線を描きながら連結していて、円錐部２０１と管１の円柱部との連結部まで、即ち、前記円錐部２０１を通して見える管１の内周面まで延長している。末端部６０１は、リブ部４０１と共に管状ダクトＣを規定している。前記管状ダクトＣは、少なくとも外観からは、平面形状で、周面にリブが存在するので、湾曲およびねじれに対して強い抵抗を示す。シェル５０１とチャネル６０１との連結部には、段部１１が装備されている。前記段部１１は、シェル５０１に向かって立ち上がり構造を有しているので、握持する手の親指を沿わせるのに適している。前記段部１１は、柄４における安定した握りを確保して、本願装置の使用時に完全に機能するために装備されている。
【０００６】
柄Ｍの部位と突起３０１との連結部での前記柄を規定する二つの補完的なシェルの内部では、環状シート３の二つの補完的な部位が内在している。その環状シート３の中には、透明物質からなる小ディスク４が配置されている。前記小ディスク４は、完全に減菌された装置の内部と柄のくぼんだ内部との間の分割壁を規定する。前記小ディスク４の内部に、摩擦などにより照光光学導波管Ｆの端部が挿入されて、保持されている。前記小ディスク４は、必要であれば、光学機能を有していて、放物線状の鏡５の上に光の焦点を合わせるのに適したレンズで構成されていても良い。ダクトＣのチャネル６０１の内周面を覆う前記反射鏡５は、例えば、経済的、且つ、信頼性の観点から電気化学的金属スプレーによりクロムで覆われていても良い。上記のようなバックライト装置の利点は、光のガイドを用いる周知の装置と比較して、より良い照光効果が得られることにある。特に、レトラクター管の中から流出し得る有機溶液により光が遮られることは無い。これは、放物線状の反射鏡５が、前記溶液の流路から立ち上がり構造を有していること、また、図６に示すような最も好ましくない状態でも、リブ部４０１の上に配置される小ディスク３の上部に、適切な形状を有していて、前記有機溶液が自由に排液し得る一つ以上の排液開口部６を見ることができるためである。前記照光装置は、本体１の内部の照光効果を高めるために、白色になり得るプラスティックで規定されることが好ましい。図示したように、レトラクター管１は、縦長で、直線的通路７と共に装備されている。前記通路７は、長方形などであって、円錐部２０１の端部とレトラクター管１の円柱部との連結部にその先端部が配置されていて、レトラクター管１の約半分の長さを有している。本願の実施例では、通路７が近接している理想平面は、本願装置の中心面に平行で、且つ、前記通路７は、下向きの柄Ｍを考慮して、レトラクター本体１の右側に配置されている。しかし、この配置は多様化しても良い。すなわち、以下は全く除外されない。該装置の柄が下方向に向いているとすると、前記通路７が近接している理想平面は、本願装置の垂直面に対して、本体１の上部に配置される窓とは異なる方向に垂直であって、前記通路が規定する領域の下部に位置するレトラクター本体の端部および内部は、反射パラボラ５からの光線によって、より明るく照らされ得る。前記通路が規定する領域では、レトラクター本体１は先細でわずかに平らである。符号７０１で図示するように、レトラクター管１の先端部に配置して、最大面積となるように横断方向に配向して、長方形などの形状を有する窓８は、例えば、１×２ｃｍの面積を有している。前記窓８を通して肛門粘膜が見えていて、前記粘膜は、上記バックライト装置により有効的に照らされる。窓８は、円錐部２０１と連結している本体１の先端部からは、約４〜７ｃｍ、例えば５〜６ｃｍほどの距離がある。窓８の背部の縁２０８と通路７の背部側１０７との間の領域で、本体１に内在する不可欠な平面分割壁９が具備されている。前記分割壁９は、本体１の内部に縦方向のチャンバー１０を規定する。レトラクター管の口２０１に向かって、前記チャンバー１０の最後部は開口していて、上記の外部の���方向の通路７を具備している。前記チャンバー１０の内部に超音波子が、摩擦により挿入されている。前記超音波子は、図示していないが、肛門粘膜に接するよう通路７から適切に突出するような形状を有している。本明細書の冒頭で述べたように、前記超音波子は、厚みが無くて、殺菌していて、使い捨てで、容易に取り外しのできる収容物に収められていても良いので、同超音波子は、前述と同種の使い捨て装置内で、数回利用することができ得る。超音波子の連結ケーブルは、レトラクターの開口部２０１から出ていて、柄Ｍの周面上の接着バンデージに一時的に固定されていても良い。柄Ｍと本願装置のその他の部位（以下参照）は、はさみ（pincers）の形状を有する小ループによって、縦方向に配置されている。それらの部位は、シェル５０１と５０１´の上に一体的に具備されていて、上記の超音波子のケーブルを一時的に保持するために必要である。図３〜５に示すように、窓８は、レトラクター管のわずかに平たんになっていて、且つ、凹部となっている端部に接していて、前記窓８の背部側２０８は、レトラクター管の周面に対して傾斜している面８０１と連結している。窓８の前縁部１０８は、レリーフ状態で、且つ、外に向かって凸のアーチ状である。これら全ての構造が、直腸組織の拡張手術および窓８内での前記直腸組織の脱出の回避に対して効果的である。したがって、前記窓８を介した肛門粘膜は、手術をするのにふさわしい状態で提供される。前記手術には、周知、且つ、必須の痔核動脈の結紮を使用していて、前記結紮は、該超音波子により正確に見分けられる。
【０００７】
図５ａ、図６ａおよび図７に示す装置は、前述の装置とは、下記の幾つかの特徴に関して異なる。窓８は、アーチ形などで、レトラクター管１の上に、実質的に前記管１の外周の半分の長さで提供されていて、その長さは１ｃｍよりも短くて、例えば、５〜８ｍｍの間である。傾斜面８０１は、窓８の下流に近接して配置されて、図１〜５に示すよりも幅広で、傾斜が緩やかである。さらに、前記傾斜面８０１の上には通路７が配置されていて、前記通路７には、図７に示す超音波子Ｓの検知部位が装備されている。したがって、超音波子Ｓは、窓８、即ち、痔核動脈の術部に接近して配置される。
【０００８】
窓８の前側部１０８は、前述のようにレリーフ状態では無いが、同窓８の後側部２０８と比すると低い場所に位置する。また、前記前側部１０８は、平面部７０１´の一部を形成する。前記平面部７０１´は、超音波子Ｓを収容するチャンバー１０を規定する壁９と実質的に一直線をなしている。前記平面部７０１´は、平面部７０１と継ぎ手により連結されている。このような構造により、湾曲していて、円形端部１０１向かって、先細りになる側面を形成する。
【０００９】
図５ａより上記の７０１および７０１´の下で、本体１の内部には、シート１２が提供されている。前記シート１２は、円形部位および円錐形状などを有していて、窓８の前縁１０８の直前に配置された前縁１１２と共に提供される。したがって、図示されていないマンドレルの端部は、前記縁の上に置いて、前期シートに挿入される。前記マンドレルは、湾曲針Ａを保持していて、前記針Ａにより痔核動脈の結紮糸が作られるので、手術者はレトラクター管１の先端部によって治療し易くなる。シート１２の軸は、レトラクター管の軸に対して適切な位置、例えば、平行であっても良い。
【００１０】
図５ａおよび図７が示すように、レトラクター管１の先端の円錐部２０１は、超音波子Ｓを収納するので、シート１０に接する側面が平面状である。また、前記側面には、３つの突起１３を具備していて、前記突起は、超音波子Ｓの近傍に位置するケーブルＧを固定することができる。
【００１１】
図６が示すように、反射部５は、チャネルＣの末端の直線部のみに配置されていて、レトラクター管１の縦方向に対して、約４０〜４５℃の傾斜、例えば、４３℃の傾斜を有する。照明用の照光光学導波管Ｆの端部は、反射部５の近傍に位置しているので、レトラクター管内部の照光の強度を著しく高める。柄Ｍに挿入された照光光学導波管Ｆの端部の縦軸とレトラクター管１の軸との内角は約１１０度となる。図６ａに示すように、前記照光光学導波管Ｆの端部は、前述の排液口が具備されていても良い柄Ｍとレトラクター管とが連結する域４０１内の広範囲にくぼんでいる部位１４で、チャネルＣの底部から立ち上がっている。
【図面の簡単な説明】
【００１２】
【図１】超音波子および照光源を具備していない本願に係る装置の斜視図である。
【図２】本願に係る装置をピースに分解して、照光源が挿入される握持部の２つの部品間に前記照光源を配置した本願に係る装置の側面の立面図である。
【図３】本願に係る装置の上部からの平面図である。
【図４】本願に係る装置の下部からの平面図である。
【図５】本願に係る装置の図２の線Ｖ−Ｖに沿った断面図である。
【図５ａ】本願に係る図５の実施形態を示した図である。
【図６】本願に係装置の図５の線ＶＩ−ＶＩに沿った断面図である。
【図６ａ】本願に係る図６の実施形態を示した図である。
【図７】図５ａに示す装置の最前部を操作部位に向かって示した図である。
【図１】
0004642477.tif 000002
【図２】
0004642477.tif 000003
【図３】
0004642477.tif 000004
【図４】
0004642477.tif 000005
【図５】
0004642477.tif 000006
【図５ａ】
0004642477.tif 000007
【図６】
0004642477.tif 000008
【図６ａ】
0004642477.tif 000009
【図７】
0004642477.tif 000010